(57)【要約】【課題】内層がガラスからなり、衝突防止用のライニングを有する耐落下衝撃性を有する容器構造を提供する。【解決手段】耐落下衝撃性を有する容器構造は、内瓶１、２つの衝撃保護ライニング２、外瓶３、外側トップカバー４及び内側トップカバー５を備える。内瓶１は、ガラスからなるボトル体である上、液体又は固体を受ける内瓶空間１１０を内部に有する内瓶本体１１と、内瓶本体１１の頂端に位置して上方に延伸する首部１２とを有する。首部１２は、内瓶本体１１の内瓶空間１１０と連通する瓶口を有する。衝撃保護ライニング２は、ゴムからなるスリーブ体である上、内瓶１の内瓶本体１１の頂端及び底端に嵌合される。衝撃保護ライニング２の各頂端には、通口が形成される。内瓶１の内瓶本体１１の頂端に位置する衝撃保護ライニング２の通口には、内瓶１の首部１２が嵌挿される。【選択図】図３
0003204180.tif 000002
【実用新案登録請求の範囲】
【請求項１】
内瓶、２つの衝撃保護ライニング、外瓶、外側トップカバー及び内側トップカバーを備えた耐落下衝撃性を有する容器構造であって、
前記内瓶は、ガラスからなるボトル体であり、液体又は固体を受ける内瓶空間を内部に有する内瓶本体と、前記内瓶本体の頂端に位置して上方に延伸する首部とを有し、前記首部は、前記内瓶本体の前記内瓶空間と連通する瓶口を有し、
前記衝撃保護ライニングは、ゴムからなるスリーブ体であり、前記内瓶の前記内瓶本体の頂端及び底端に嵌合され、前記衝撃保護ライニングの各頂端には、通口が形成され、前記内瓶の前記内瓶本体の頂端に位置する前記衝撃保護ライニングの前記通口には、前記内瓶の前記首部が嵌挿され、
前記外瓶は、プラスチックからなるボトル体であり、外瓶本体を有し、前記外瓶本体の内部には、前記内瓶と、前記衝撃保護ライニングとが配設される外瓶空間が形成され、前記衝撃保ライニングが前記外瓶の前記外瓶本体の内縁壁に当接され、前記内瓶の前記内瓶本体の外縁壁と前記外瓶の前記外瓶本体の内縁壁とにより隔離領域が形成されるとともに、前記外瓶本体の頂端には、前記外瓶空間と連通する開口部が形成され、
前記外側トップカバーは、プラスチックからなる蓋体であり、前記外瓶本体の前記開口部を閉止するように前記外瓶の前記外瓶本体の前記開口部に設けられ、前記外側トップカバーの頂端には、前記内瓶の前記首部が挿通される前記通口が形成され、前記内瓶と前記衝撃保護ライニングとが前記外瓶の前記外瓶本体の前記外瓶空間内に内蔵され、前記内瓶の前記首部が前記外側トップカバーの頂端から外方へ突出され、
前記内側トップカバーは、プラスチックからなる蓋体であり、前記首部の前記瓶口を閉止するように前記内瓶の前記首部に設けられていることを特徴とする、耐落下衝撃性を有する容器構造。
【請求項２】
前記内瓶の前記首部の外縁壁には、雄ねじ領域が形成され、
前記内側トップカバーの底端内縁壁には、雌ねじ領域が形成され、
前記内側トップカバーの前記雌ねじ領域には、前記内瓶の前記首部の前記雄ねじ領域が螺着されることを特徴とする、請求項１に記載の耐落下衝撃性を有する容器構造。
【請求項３】
前記内側トップカバーは、飲み口を有する蓋又はボトル蓋であることを特徴とする、請求項２に記載の耐落下衝撃性を有する容器構造。
【請求項４】
前記２つの衝撃保護ライニングの各内縁壁の輪郭は、前記内瓶の前記内瓶本体の頂端及び底端の輪郭と同じであることを特徴とする、請求項１に記載の耐落下衝撃性を有する容器構造。
【請求項５】
前記２つの衝撃保護ライニングは、熱可塑性ゴム又はシリコーンからなることを特徴とする、請求項４に記載の耐落下衝撃性を有する容器構造。
【請求項６】
前記外瓶の前記外瓶本体の頂端内縁壁には、雌ねじ領域が形成され、
前記外側トップカバーの底端外縁壁には、雄ねじ領域が形成され、
前記外側トップカバーの前記雄ねじ領域には、前記外瓶の前記外瓶本体の前記雌ねじ領域が螺着されることを特徴とする、請求項１に記載の耐落下衝撃性を有する容器構造。
【請求項７】
前記外側トップカバーには、紐体取付けリングが設けられ、
前記紐体取付けリングは、前記外トップカバーの外縁壁の両側端に設けられ、
前記外瓶本体には、前記紐体取付けリングが設けられ、
前記紐体取付けリングは、前記外瓶本体の底端外縁に設けられ、前記紐体が組み合わされて連結固定されることを特徴とする、請求項６に記載の耐落下衝撃性を有する容器構造。
【請求項８】
前記紐体の両端には、前記外側トップカバーの外縁壁の両側端にそれぞれ設けられた前記紐体取付けリングがそれぞれ連結固定されることを特徴とする、請求項７に記載の耐落下衝撃性を有する容器構造。
【請求項９】
前記紐体は、前記外側トップカバーの外縁両側端にそれぞれ設けられた前記紐体取付けリングに挿設され、前記外瓶本体の底端外縁壁の前記紐体取付けリングに連結固定されることを特徴とする、請求項７に記載の耐落下衝撃性を有する容器構造。
【考案の詳細な説明】
【技術分野】
【０００１】
本考案は、容器に関するものであり、さらに詳しくは、内層がガラスからなり、耐落下衝撃性を有する容器構造に関するものである。
【背景技術】
【０００２】
図８に示すように、従来からよく知られている携帯用ボトル７は、中空状収容室７１０を有する本体７１を含む。本体７１の上端に形成された瓶口７１１には、携行するのに都合が良いように蓋体７２が覆うように配置されている。ユーザが携帯用ボトルを用いて水を飲む際、蓋体７２を緩めてから口を飲み口につけてボトルを傾けるか、蓋体７２に挿し込んだストローの端部に口をつけて飲むことが一般的である。
【０００３】
従来、一般の携帯用ボトル７は、ステンレス、プラスチック、ガラス又はセラミックからなる材料が用いられている。ステンレスからなる断熱容器は、保温効果に優れるが、洗浄するときに掻き傷が発生し易い上、ステンレスの材料コストが高いため、ステンレス製容器の価格は高めである。また、ステンレスの品質が安定せず、品質が悪いステンレスの場合、掻き傷が発生すると重金属が放出されることがある。プラスチック製容器の場合、耐落下衝撃性を有するが、耐熱性が低くて品質が悪い上、熱により有毒溶剤が発生することがある。一方のガラス又はセラミックからなる容器の場合、耐熱性を有するため消毒することが可能で、高温に曝されても毒性物質を放出することはないが、洗浄が容易でなく掻き傷が生じ易く、他の物に当たって破裂し易く、洗浄が不便で怪我し易いため危険を伴うことが多い。そのため、上述したような従来技術の問題点を改善する技術が求められてきた。
【考案の概要】
【考案が解決しようとする課題】
【０００４】
従って、本考案の主な課題は、内層がガラスからなり、衝突防止用のライニングを有する耐落下衝撃性を有する容器構造を提供することにある。
【課題を解決するための手段】
【０００５】
そこで、本考案者は、本考案の前記課題を解決するため鋭意検討を重ねた結果、内瓶と外瓶の二層構造とし、底部及び頂端に衝撃保護部を設けることにより、前記課題を解決できることに着目し、かかる知見に基いて本考案に想到した。
【０００６】
かくして、本考案の要旨は次の（１）〜通りである。
（１）内瓶、２つの衝撃保護ライニング、外瓶、外側トップカバー及び内側トップカバーを備えた耐落下衝撃性を有する容器構造であって、
前記内瓶は、ガラスからなるボトル体であり、液体又は固体を受ける内瓶空間を内部に有する内瓶本体と、前記内瓶本体の頂端に位置して上方に延伸する首部とを有し、前記首部は、前記内瓶本体の前記内瓶空間と連通する瓶口を有し、
前記衝撃保護ライニングは、ゴムからなるスリーブ体であり、前記内瓶の前記内瓶本体の頂端及び底端に嵌合され、前記衝撃保護ライニングの各頂端には、通口が形成され、前記内瓶の前記内瓶本体の頂端に位置する前記衝撃保護ライニングの前記通口には、前記内瓶の前記首部が嵌挿され、
前記外瓶は、プラスチックからなるボトル体であり、外瓶本体を有し、前記外瓶本体の内部には、前記内瓶と、前記衝撃保護ライニングとが配設される外瓶空間が形成され、前記衝撃保ライニングが前記外瓶の前記外瓶本体の内縁壁に当接され、前記内瓶の前記内瓶本体の外縁壁と前記外瓶の前記外瓶本体の内縁壁とにより隔離領域が形成されるとともに、前記外瓶本体の頂端には、前記外瓶空間と連通する開口部が形成され、
前記外側トップカバーは、プラスチックからなる蓋体であり、前記外瓶本体の前記開口部を閉止するように前記外瓶の前記外瓶本体の前記開口部に設けられ、前記外側トップカバーの頂端には、前記内瓶の前記首部が挿通される前記通口が形成され、前記内瓶と前記衝撃保護ライニングとが前記外瓶の前記外瓶本体の前記外瓶空間内に内蔵され、前記内瓶の前記首部が前記外側トップカバーの頂端から外方へ突出され、
前記内側トップカバーは、プラスチックからなる蓋体であり、前記首部の前記瓶口を閉止するように前記内瓶の前記首部に設けられていることを特徴とする、耐落下衝撃性を有する容器構造。
【０００７】
（２）前記内瓶の前記首部の外縁壁には、雄ねじ領域が形成され、
前記内側トップカバーの底端内縁壁には、雌ねじ領域が形成され、
前記内側トップカバーの前記雌ねじ領域には、前記内瓶の前記首部の前記雄ねじ領域が螺着されることを特徴とする、前記（１）に記載の耐落下衝撃性を有する容器構造。
【０００８】
（３）前記内側トップカバーは、飲み口を有する蓋又はボトル蓋であることを特徴とする、前記（２）に記載の耐落下衝撃性を有する容器構造。
【０００９】
（４）前記２つの衝撃保護ライニングの各内縁壁の輪郭は、前記内瓶の前記内瓶本体の頂端及び底端の輪郭と同じであることを特徴とする、前記（１）に記載の耐落下衝撃性を有する容器構造。
【００１０】
（５）前記２つの衝撃保護ライニングは、熱可塑性ゴム又はシリコーンからなることを特徴とする、前記（４）に記載の耐落下衝撃性を有する容器構造。
【００１１】
（６）前記外瓶の前記外瓶本体の頂端内縁壁には、雌ねじ領域が形成され、
前記外側トップカバーの底端外縁壁には、雄ねじ領域が形成され、
前記外側トップカバーの前記雄ねじ領域には、前記外瓶の前記外瓶本体の前記雌ねじ領域が螺着されることを特徴とする、前記（１）に記載の耐落下衝撃性を有する容器構造。
【００１２】
（７）前記外側トップカバーには、紐体取付けリングが設けられ、
前記紐体取付けリングは、前記外トップカバーの外縁壁の両側端に設けられ、
前記外瓶本体には、前記紐体取付けリングが設けられ、
前記紐体取付けリングは、前記外瓶本体の底端外縁に設けられ、前記紐体が組み合わされて連結固定されることを特徴とする、前記（６）に記載の耐落下衝撃性を有する容器構造。
【００１３】
（８）前記紐体の両端には、前記外側トップカバーの外縁壁の両側端にそれぞれ設けられた前記紐体取付けリングがそれぞれ連結固定されることを特徴とする、前記（７）に記載の耐落下衝撃性を有する容器構造。
【００１４】
（９）前記紐体は、前記外側トップカバーの外縁両側端にそれぞれ設けられた前記紐体取付けリングに挿設され、前記外瓶本体の底端外縁壁の前記紐体取付けリングに連結固定されることを特徴とする、前記（７）に記載の耐落下衝撃性を有する容器構造。
【考案の効果】
【００１５】
本考案の耐落下衝撃性を有する容器構造は、外瓶が地面に落下したり、その他の物体に当たって衝撃を受けたりすると、内瓶の内瓶本体の頂端及び底端に位置する各衝撃保護ライニングにより衝撃を吸収してガラスからなる内瓶を保護し、他の物に外瓶が当たって内瓶が破裂する問題を防ぐことができる上、もしその衝撃力が、内瓶の内瓶本体の頂端及び底端に位置する各衝撃保護ライニングにより吸収できる最大値を超えてガラスからなる内瓶が破裂して飛び散っても、内瓶のガラスの破片が外瓶の外瓶本体の外瓶空間内に留まる。そのため、内瓶の内瓶本体が破裂した場合でも、その破片が外方へ飛び散ってユーザを負傷させることを防ぐことができる上、砕けた内瓶の内瓶本体をユーザが処理する際に破片に直接触れて負傷することを防ぎ、鋭利な破片の縁で負傷する危険性を減らし、ユーザは安全に使用することができる。
【図面の簡単な説明】
【００１６】
【図１】図１は、本考案の一実施形態に係る耐落下衝撃性を有する容器構造を示す斜視図である。
【図２】図２は、本考案の一実施形態に係る耐落下衝撃性を有する容器構造を示す分解斜視図である。
【図３】図３は、本考案の一実施形態に係る耐落下衝撃性を有する容器構造を示す断面図である。
【図４】図４は、本考案の一実施形態に係る耐落下衝撃性を有する容器構造の内頂蓋の他の構造形態を示す断面図である。
【図５】図５は、本考案の一実施形態に係る耐落下衝撃性を有する容器構造の紐体の他の挿設形態を示す斜視図である。
【図６】図６は、本考案の一実施形態に係る耐落下衝撃性を有する容器構造の紐体の他の挿設形態を示す断面図である。
【図７】図７は、図６のＡ部分の拡大図である。
【図８】図８は、従来の携帯用ボトルを示す断面図である。
【考案を実施するための形態】
【００１７】
まず、図１〜図７を参照する。図１〜図７に示すように、本考案の一実施形態に係る耐落下衝撃性を有する容器構造は、少なくとも内瓶１、２つの衝撃保護ライニング２、外瓶３、外トップカバー４及び内トップカバー５から構成されてなる。
【００１８】
内瓶１は、ガラスからなるボトル体である。内瓶１は、液体又は固体を受ける内瓶空間１１０を内部に有する内瓶本体１１と、内瓶本体１１の頂端に位置して上方に延伸する首部１２と、を有する。首部１２は、内瓶本体１１の内瓶空間１１０と連通する瓶口１２０を有する。
【００１９】
２つの衝撃保護ライニング２は、ゴムからなるスリーブ体である。２つの衝撃保護ライニング２は、内瓶１の内瓶本体１１の頂端及び底端にそれぞれ嵌合される。２つの衝撃保護ライニング２の各頂端には、通口２０が形成される。内瓶１の内瓶本体１１の頂端に位置する衝撃保護ライニング２の通口２０には、内瓶１の首部１２が嵌挿される。各通口２０の口径は、内瓶１の首部１２の外径より大きい。
【００２０】
外瓶３は、プラスチックからなるボトル体である。外瓶３は、外瓶本体３１を有する。外瓶本体３１の内部には、内瓶１と、２つの衝撃保護ライニング２とが配設される外瓶空間３１０が形成されている。外瓶３の外瓶空間３１０の空間は、内瓶１の内瓶本体１１より略大きく、２つの衝撃保護ライニング２を外瓶３の外瓶本体３１の内縁壁に当接させ、内瓶１の内瓶本体１１の外縁壁と外瓶３の外瓶本体３１の内縁壁とにより隔離領域３０が形成されるとともに、外瓶本体３１の頂端には、外瓶空間３１０と連通する開口部３１１が形成されている。
【００２１】
外トップカバー４は、プラスチックからなる蓋体である。外トップカバー４は、外瓶３の外瓶本体３１の開口部３１１を閉止するように外瓶３の外瓶本体３１の開口部３１１に設けられている。外トップカバー４の頂端には、内瓶１の首部１２が挿通される通口４０が形成されている。通口４０の口径は、内瓶１の首部１２の外径より大きく、内瓶１と２つの衝撃保護ライニング２とが外瓶３の外瓶本体３１の外瓶空間３１０内に内蔵され、内瓶１の首部１２が外トップカバー４の頂端から外方へ突出されている。
【００２２】
内トップカバー５は、プラスチックからなる蓋体である。内トップカバー５は、首部１２の瓶口１２０を閉止するように内瓶１の首部１２に設けられている。
【００２３】
以下、上述した耐落下衝撃性を有する容器構造について詳しく説明する。内瓶１の首部１２の外縁壁には、雄ねじ領域１２１が形成されている。内トップカバー５の底端内縁壁には、雌ねじ領域５１が形成されている。内トップカバー５の雌ねじ領域５１には、内瓶１の首部１２の雄ねじ領域１２１が螺着されている。上述した内トップカバー５は、必要に応じて飲み口を有する蓋（図１、図２、図３、図５及び図６を参照する）又はボトル蓋（図４を参照する）を選択して使用してもよい。
【００２４】
２つの衝撃保護ライニング２の各内縁壁の輪郭は、内瓶１の内瓶本体１１の頂端及び底端の輪郭と同じである。２つの衝撃保護ライニング２は、熱可塑性ゴム又はシリコーンからなる。熱可塑性ゴム又はシリコーンは、弾性機能及び滑り止め機能を有する。
【００２５】
外瓶３の外瓶本体３１の頂端内縁壁には、雌ねじ領域３１２が形成される。外トップカバー４の底端外縁壁には、雄ねじ領域４１が形成される。外トップカバー４の雄ねじ領域４１には、外瓶３の外瓶本体３１の雌ねじ領域３１２が螺着される。
【００２６】
本考案の容器は、手で持つ以外に、肩にかけて使用することができるように、対応した紐体取付けリング４２が外トップカバー４に設けられてもよい。各紐体取付けリング４２は、外トップカバー４の外縁壁の両側端に設けられている（図１〜図４を参照する）。外瓶本体３１には、紐体取付けリング３２が設けられてもよい。紐体取付けリング３２は、外瓶本体３１の底端外縁に設けられ（図５〜図７を参照する）、紐体６が組み合わされて連結固定されてもよい。
【００２７】
また、ユーザの必要に応じ、紐体６の両端には、外トップカバー４の外縁壁の両側端にそれぞれ設けられた紐体取付けリング４２がそれぞれ連結固定されてもよいし（図１〜図４を参照する）、紐体６が外トップカバー４の外縁両側端の紐体取付けリング４２に挿設され、外瓶本体３１の底端外縁壁の紐体取付けリング３２と連結固定されてもよい（図５〜図７を参照する）。
【００２８】
上述した構造は、液体又は固体を受ける容器を利用し、内瓶１は、ガラスからなるボトルである。内瓶１の内瓶本体１１の頂端及び底端には、衝撃保護ライニング２が嵌合される。各衝撃保護ライニング２は、ゴムからなるスリーブ体である。衝撃保護ライニング２が嵌合された内瓶１を外瓶３の外瓶空間３１０内に取付け、２つの衝撃保護ライニング２を外瓶３の外瓶本体３１の内縁壁に押し付けて固定し、内瓶１の内瓶本体１１の外縁壁と外瓶３の外瓶本体３１の内縁壁とにより隔離領域３０が形成され、外瓶３が他の物に当たって内瓶１が破裂してしまうことを防ぐとともに、外トップカバー４が外瓶３の外瓶本体３１の開口部３１１に設けられて外瓶３の開口部３１１を閉止する。外トップカバー４はプラスチックからなる蓋体である。外トップカバー４の頂端面の通口４０には、内瓶１の首部１２が挿通され、内瓶１と２つの衝撃保護ライニング２とが外瓶３の外瓶本体３１の外瓶空間３１０内に内蔵され、内瓶１の首部１２が外トップカバー４の頂端の外側に突出される。内トップカバー５は、首部１２の瓶口１２０を閉止するように、内瓶１の首部１２に設けられる。内トップカバー５は、プラスチックからなる蓋体である。
【００２９】
そのため、内瓶１の内瓶本体１１の頂端及び底端には、衝撃保護ライニング２がそれぞれ嵌合される。各衝撃保護ライニング２は、ゴムからなるスリーブ体であり、弾性及び滑り止めを有する熱可塑性ゴム又はシリコーンからなる。外瓶３が地面に落下したり、その他の物体に当たって衝撃を受けたりすると、内瓶１の内瓶本体１１の頂端及び底端に位置する各衝撃保護ライニング２により衝撃を吸収してガラスからなる内瓶１を保護し、他の物に外瓶３が当たって内瓶１が破裂する問題を防ぐことができる上、もしその衝撃力が、内瓶１の内瓶本体１１の頂端及び底端に位置する各衝撃保護ライニング２により吸収できる最大値を超えてガラスからなる内瓶１が破裂して飛び散っても、内瓶１のガラスの破片が外瓶３の外瓶本体３１の外瓶空間３１０内に留まる。このように、内瓶１の内瓶本体１１が破裂した場合でも、その破片が外方へ飛び散ってユーザを負傷させることを防ぐ上、砕けた内瓶１の内瓶本体１１をユーザが処理する際に破片に直接触れて怪我することを防ぎ、鋭利な破片の縁で負傷する危険性を減らし、ユーザは安全に使用することができる。
【００３０】
内瓶１の内瓶本体１１の外縁壁と外瓶３の外瓶本体３１の内縁壁とにより隔離領域３０が画成される。内瓶１の内瓶本体１１の内瓶空間１１０が高温の液体を受けるときに、内瓶１の温度が上昇しないように、隔離領域３０の空間により温度が内瓶１から外瓶３へ伝わって外瓶３の温度が上昇することを防ぐ。そのためユーザが容器を握持するときに、内瓶１の内瓶本体１１の内瓶空間１１０が受ける高温の液体により火傷することを防ぐことができる。
【００３１】
同じ道理により、内瓶１の内瓶本体１１の内瓶空間１１０が低温の液体を受けるとき、内瓶１の内瓶本体１１の外縁壁と外瓶３の外瓶本体３１の内縁壁とにより隔離領域３０が画成され、内瓶１の内瓶本体１１の内瓶空間１１０が低温の液体を受けても、低温が内瓶１から外瓶３へ伝わることを防ぐため、ユーザが本考案の容器を握持しても、内瓶１の内瓶本体１１の内瓶空間１１０が受ける低温の液体により冷たく感じることはない。
【符号の説明】
【００３２】
１  内瓶
２  衝撃保護ライニング
３  外瓶
４  外側トップカバー
５  内側トップカバー
６  紐体
７  携帯用ボトル
１１  内瓶本体
１２  首部
２０  通口
３０  隔離領域
３１  外瓶本体
３２  紐体取付けリング
４０  通口
４１  雄ねじ領域
４２  紐体取付けリング
５１  雌ねじ領域
７１  本体
７２  蓋体
１１０  内瓶空間
１２０  瓶口
１２１  雄ねじ領域
３１０  外瓶空間
３１１  開口部
３１２  雌ねじ領域
７１０  中空状収容室
７１１  瓶口
【図１】
0003204180.tif 000003
【図２】
0003204180.tif 000004
【図３】
0003204180.tif 000005
【図４】
0003204180.tif 000006
【図５】
0003204180.tif 000007
【図６】
0003204180.tif 000008
【図７】
0003204180.tif 000009
【図８】
0003204180.tif 000010